(57)【要約】【課題】後方視界を損なうことなくラジエータを含む冷却装置の容量を増大することが可能で、しかも冷却性能を損なうことがない、ホイールローダを提供する。【解決手段】このホイールローダは、車体フレーム１と、車体フレーム１に搭載されたエンジン１２と、ブーム６及びバケット７を有する作業機３と、燃料タンク１３と、冷却装置１４と、を備えている。燃料タンク１３は、車体フレーム１の後部下面に取り付けられ、後端面１３ａが上方から下方に向かって斜め後方に傾斜している。冷却装置１４は、車体フレーム１の後部に支持され、下端部が燃料タンク１３の後端面１３ａと対向しかつ前後方向に所定距離離れて配置されるとともに、底面が燃料タンク１３の後端部上面よりも下方に位置するように配置されている。【選択図】図６
2014008827.tif 000002
【特許請求の範囲】
【請求項１】
車体フレームと、
前記車体フレームに搭載されたエンジンと、
ブーム及び前記ブームの前端に設けられたバケットを有し、前記車体フレームの前方に配置された作業機と、
前記車体フレームの後部下面に取り付けられ、後端面が上方から下方に向かって斜め後方に傾斜した燃料タンクと、
前記車体フレームの後部に支持され、下端部が前記燃料タンクの後端面と対向しかつ前後方向に所定距離離れて配置されるとともに、底面が前記燃料タンクの後端部上面よりも下方に位置するように配置され、内部を流通する冷却媒体を放熱する冷却装置と、
を備えたホイールローダ。
【請求項２】
前記冷却装置の後方に配置されたカウンタウェイトをさらに備え、
前記冷却装置は、下端部が前記カウンタウェイトの上面よりも下方に位置する、
請求項１に記載のホイールローダ。
【請求項３】
前記冷却装置は、
ラジエータと、
前記ラジエータの後方に配置され、冷却風を前記ラジエータの前方から後方に送るファンと、
を有している、請求項２に記載のホイールローダ。
【請求項４】
前記ファンは、中心が前記冷却装置の中心に対して上方にオフセットして配置されている、請求項３に記載のホイールローダ。
【請求項５】
前記ファンは、底面が前記カウンタウェイトの上面より上方に位置するように配置され、一方の側部を中心に横方向に開閉自在に設けられている、請求項３又は４に記載のホイールローダ。
【請求項６】
前記冷却装置は、前記ファンの下方に配置され前記ラジエータを通過した冷却風を前記ファンに導くシュラウドをさらに有する、
請求項３から５のいずれかに記載のホイールローダ。
【請求項７】
前記燃料タンクと前記冷却装置との間の隙間を下方から覆うカバーをさらに備えた、請求項１から６のいずれかに記載のホイールローダ。
【請求項８】
前記車体フレームは、
前記車体フレームの後端において上下方向に延びて設けられたエンドプレートと、
前記エンドプレートから前方に延び、前記エンドプレートと一体的に形成された補強プレートと、
を有している、請求項１から７のいずれかに記載のホイールローダ。
【請求項９】
前記燃料タンクの後部を前記補強プレートに支持するためのブラケットをさらに備えた、請求項８に記載のホイールローダ。
【請求項１０】
前記燃料タンクと前記冷却装置との間の隙間に配置され、冷却媒体が流通する配管をさらに備え、
前記配管は前記冷却装置の下端部において、前記隙間から下方に臨む位置で前記冷却装置に連結されている、
請求項１から９のいずれかに記載のホイールローダ。
【発明の詳細な説明】
【技術分野】
【０００１】
本発明は、ホイールローダ、より詳細には、車体フレーム、燃料タンク及びラジエータ等の冷却装置を備えたホイールローダに関する。
【背景技術】
【０００２】
ホイールローダの後部にはエンジンルームが設けられている。このエンジンルームには、エンジンや冷却装置が配置され、さらにこれらの下方には燃料タンクが配置されている。冷却装置は、エンジンによって回転されるファン、インタークーラ、オイルクーラ、ラジエータ等によって構成されている。
【０００３】
このようなホイールローダ後部の従来の構造として、例えば特許文献１に示された構造がある。この特許文献１に示された後部構造は、車体フレームの後端部の下面に燃料タンクが装着されている。燃料タンクの後部は、車体フレームの後端とほぼ同じ位置まで延びており、車体フレームの後端のプレートに支持されている。そして、この燃料タンクの上方に、ラジエータやオイルクーラを含む冷却装置が配置されている。
【先行技術文献】
【特許文献】
【０００４】
【特許文献１】特開２００２−２６６３７６号公報
【発明の概要】
【発明が解決しようとする課題】
【０００５】
近年のホイールローダにおいては、ラジエータを含む冷却装置における冷却容量の増大が求められており、冷却容量を増大するためには冷却装置の容積を増大する必要がある。また、ラジエータにおける目詰りを抑えるために、ラジエータのコアに矩形フィンを採用する場合があり、このような矩形フィンを採用した場合、フィンピッチが広がり、ラジエータのコアが大きくなる。このような種々の理由から、近年はラジエータの大型化が要望されている。
【０００６】
ここで、特許文献１に記載の構造では、ラジエータの下方に燃料タンクが配置されているために、ラジエータの容積を増大するためにはラジエータを上方へ延ばすことになる。しかし、ラジエータを上方に延ばすと、運転席からの後方視界を妨げることになる。ホイールローダにおいては、作業中にバックすることがしばしばあるために、後方視界が妨げられると作業に支障をきたすことになる。
【０００７】
そこで、燃料タンクの後端面を前方に移動させ、空いたスペースを利用してラジエータの底部を下方に延ばし、ラジエータの容量を増大させることが考えられる。
【０００８】
しかし、このような構造では、ラジエータの下部が上下方向において燃料タンクと重なってしまう。このため、車両の上部及び左右の側部から冷却風を取り入れて後方に排出する冷却構造を採用した場合、燃料タンクに重なるラジエータの下部が冷却されにくくなる。
【０００９】
本発明の課題は、後方視界を損なうことなくラジエータを含む冷却装置の容量を増大することが可能で、しかも冷却性能を損なうことがない、ホイールローダを提供することにある。
【課題を解決するための手段】
【００１０】
本発明の第１側面に係るホイールローダは、車体フレームと、車体フレームに搭載されたエンジンと、作業機と、燃料タンクと、冷却装置と、を備えている。作業機は、ブーム及びブームの前端に設けられたバケットを有し、車体フレームの前方に配置されている。燃料タンクは、車体フレームの後部下面に取り付けられ、後端面が上方から下方に向かって斜め後方に傾斜している。冷却装置は、車体フレームの後部に支持され、下端部が燃料タンクの後端面と対向しかつ前後方向に所定距離離れて配置されるとともに、底面が燃料タンクの後端部上面よりも下方に位置するように配置され、内部を流通する冷却媒体を放熱する。
【００１１】
ここでは、冷却装置が燃料タンクの後方に配置され、冷却装置の底面が燃料タンクの上面よりも下方に位置するように延びている。このため、冷却装置の上部を上方に延ばすことなく、すなわち後方視界を損なうことなく冷却装置の容量を増大することができる。また、燃料タンクと冷却装置との間は所定距離離れて配置されており、両者の間には隙間が形成されている。このため、この隙間を介して冷却風を導入することができ、燃料タンクと重なった冷却装置の下部にも冷却風を送ることができる。しかも、燃料タンクは、冷却装置と対向する後端面が、上方から下方に向かって斜め後方に傾斜している。したがって、燃料タンクの後端面と冷却装置との間の隙間に冷却風を導きやすくなる。さらに、この隙間を利用して冷却媒体を流通させるための配管を配置することができ、配管の取り回しが容易になる。
【００１２】
本発明の第２側面に係るホイールローダは、第１側面のホイールローダにおいて、冷却装置の後方に配置されたカウンタウェイトをさらに備えている。そして、冷却装置は、下端部がカウンタウェイトの上面よりも下方に位置する。
ここでは、後方視界を損なうことなく冷却装置の容量がより大きくなる。
【００１３】
本発明の第３側面に係るホイールローダは、第２側面のホイールローダにおいて、冷却装置は、ラジエータと、ファンと、を有している。ファンは、ラジエータの後方に配置され、冷却風をラジエータの前方から後方に送る。
【００１４】
ここでは、ファンが駆動されることによって、ラジエータのファンと逆側の部分の気圧が比較的低くなる。このため、燃料タンクと冷却装置の下端部との間の隙間を介して外気が内部に取り込まれる。したがって、ラジエータを含む冷却装置の下端部についても効率良く冷却を行うことができる。
【００１５】
本発明の第４側面に係るホイールローダは、第３側面のホイールローダにおいて、ファンは、中心が冷却装置の中心に対して上方にオフセットして配置されている。
【００１６】
ここでは、冷却装置が下方に延びて配置されているので、仮に冷却装置の中心とファンの中心とを同じ位置にすると、一般的なファンの取付位置に比較してファンが低い位置に配置されることになる。この場合は、冷却風の流れが車体フレームやカウンタウェイトによって乱され、冷却風がスムーズに車体外に排出されないことが考えられる。
【００１７】
そこでこの第４側面に係るホイールローダでは、冷却装置の中心に対してファンを上方にオフセットして配置し、ファンの取付位置が低くなりすぎないようにしている。したがって、冷却装置は下方に延びて配置されているが、冷却性能が悪化することはない。
【００１８】
本発明の第５側面に係るホイールローダは、第３又は第４側面のホイールローダにおいて、ファンは、底面がカウンタウェイトの上面より上方に位置するように配置され、一方の側部を中心に横方向に開閉自在に設けられている。
【００１９】
ここでは、ファンが横方向に開閉自在であり、しかもファンの底面がカウンタウェイトの上面より上方に位置している。したがって、カウンタウェイトを装着した状態でファンを横方向に開き、ファンのメンテナンスを容易に行うことができる。
【００２０】
本発明の第６側面に係るホイールローダは、第３から第５側面のいずれかのホイールローダにおいて、冷却装置は、ファンの下方に配置されラジエータを通過した冷却風をファンに導くシュラウドをさらに有する。
【００２１】
ここでは、ラジエータを通過した冷却風はシュラウドに沿ってファンに導かれる。このため、冷却性能が向上する。
【００２２】
本発明の第７側面に係るホイールローダは、第１から第６側面のいずれかのホイールローダにおいて、燃料タンクと冷却装置との間の隙間を下方から覆うカバーをさらに備えている。
【００２３】
ここで、燃料タンクの後方に冷却装置の下端部が配置されているので、冷却装置の下端部及びこの下端部に連結された例えば配管等の部材が下方に露出することになる。そこで、これらを下方から覆うようにカバーが設けられ、冷却装置の下部を保護している。
【００２４】
本発明の第８側面に係るホイールローダは、第１から第７側面のいずれかのホイールローダにおいて、車体フレームは、エンドプレートと補強プレートとを有している。エンドプレートは車体フレームの後端において上下方向に延びて設けられている。補強プレートは、エンドプレートから前方に延び、エンドプレートと一体的に形成されている。
【００２５】
従来の車体フレームでは、左右のフレームが後端においてエンドプレートで連結されている。このエンドプレートは上下方向に所定の幅を有し、前後方向の厚みが薄い１枚の板状部材である。これに対して第８側面のホイールローダでは、エンドプレートから前方に延びる補強プレートがエンドプレートと一体的に設けられている。
【００２６】
ここでは、エンドプレートと補強プレートによって、車体フレームの後端部は、断面が側面視でL形状になっている。このため、車体フレームの後端部の強度が向上する。これにより、車体フレーム後端部を従来形状に比較して左右に広げても強度が維持され、車体フレームの内部に配置される冷却装置の左右方向の幅をより大きくすることができ、冷却装置の容量をより増大することができる。
【００２７】
本発明の第９側面に係るホイールローダは、第８側面のホイールローダにおいて、燃料タンクの後部を補強プレートに支持するためのブラケットをさらに備えている。
【００２８】
本発明の燃料タンクは、その後方に冷却装置の下端部が配置されているので、燃料タンク後端は従来の後部構造に比較して前方に移動している。一方で、エンドプレートには前方に向かって延びる補強プレートが一体的に設けられているので、この前方に延びる補強プレートにブラケットを介して燃料タンクの後端部が支持されている。
【００２９】
本発明の第１０側面に係るホイールローダは、第１から第９側面のいずれかのホイールローダにおいて、燃料タンクと冷却装置との間の隙間に配置され、冷却媒体が流通する配管をさらに備えている。そして、配管は冷却装置の下端部において、隙間から下方に臨む位置で冷却装置に連結されている。
【００３０】
ここでは、冷却装置には配管が連結されており、この配管は燃料タンクと冷却装置の隙間から下方に臨む位置に配置されている。このため、配管を冷却装置にクランプする際、あるいはクランプを増し締めする際に、車両の下方から隙間を介して作業することができる。すなわち、配管をメンテナンスする際の作業を容易になる。
【発明の効果】
【００３１】
以上のような本発明では、冷却装置が燃料タンクの後方に配置され、冷却装置の底面が燃料タンクの上面よりも下方に位置するように延びているので、冷却容量の増大のために冷却装置の上部を上方に延ばす必要がなく、後方視界を損なうことなく冷却容量を増大できる。また、燃料タンクと冷却装置の下端部との間に隙間を確保して、この隙間を介して外気を取り入れるようにしているので、冷却風を冷却装置の下端部に当てることができ、冷却性能を損なうことがない。
【図面の簡単な説明】
【００３２】
【図１】本発明の一実施形態によるホイールローダの側面図。
【図２】ホイールローダの後部構造の斜視図。
【図３】後部構造の車体フレームの斜視図。
【図４】冷却装置と後部フレームを後方から見た図。
【図５】燃料タンクの斜視図。
【図６】後部構造の側面図。
【図７】冷却装置を前方から見た図。
【図８】後部構造の底面図。
【発明を実施するための形態】
【００３３】
本発明の一実施形態によるホイールローダの外観側面図を図1に示し、その後部の構造を図２及び図３に示している。
【００３４】
［全体構成］
ホイールローダ１は、車体フレーム２、作業機３、前輪４ａ、後輪４ｂ、キャブ５を備えている。このホイールローダ１は、前輪４ａ、後輪４ｂが回転駆動されることにより自走可能であり、作業機３を用いて所望の作業を行うことができる。
車体フレーム２は前車体部２ａ及び後車体部２ｂを有している。前車体部２ａと後車体部２ｂとは互いに左右方向に揺動可能に連結されている。前車体部２ａには、作業機３及び前輪４ａが設けられている。後車体部２ｂには、キャブ５及び後輪４ｂが設けられている。作業機３は、前車体部２ａの前方に配置されており、ブーム６、バケット７、ベルクランク８等を有している。ブーム６は１対のリフトシリンダ１０によって上下に揺動される。また、バケット７は、ブーム６の先端に装着されており、ベルクランク８を介してバケットシリンダ１１によって上下に揺動される。
【００３５】
［後部全体構造］
図２に示すように、後車体部２ｂの後部には、エンジン１２が搭載されており、このエンジン１２の下方に燃料タンク１３が配置されている。また、エンジン１２の後方には冷却装置１４が配置されている。さらに、後車体部２ｂの後端にはカウンタウェイト１５が固定されている。
【００３６】
［後車体部２ｂ］
車体フレーム２の後車体部２ｂは、図３から明らかなように、左右の横フレーム１６，１７と、後部フレーム１８と、左右の横フレーム１６，１７を連結する連結フレーム１９と、を有している。なお、図３は図２からエンジン１２及び冷却装置１４を取り除いて示したものである。
【００３７】
左右の横フレーム１６，１７はそれぞれ正面視でＬ形状に形成されており、これらの水平部１７ａ（左横フレーム１６の水平部は図３では表れていない）に連結フレーム１９の両端が固定されている。
【００３８】
後部フレーム１８は、左右のプレート２０，２１と、エンドプレート２２と、補強プレート２３と、を有している。左右のプレート２０，２１は左右の横フレーム１６，１７よりもさらに外側に配置されており、内部の幅方向スペースが前方に比較して広くなっている。エンドプレート２２は、後車体部２ｂの後端に位置し、上下方向に延びるとともに、図４に示すように、左右両端部を除いて下方に窪む切欠き部２２ａが形成されている。なお、図４は後部構造を後方から見た図である。補強プレート２３は、エンドプレート２２の下端から前方に延びるように設けられている。また、補強プレート２３の両端部は、それ以外の部分に比較して、さらに前方で斜め上方に向かって延び、左右の横フレーム１６，１７の水平部に固定されている。
【００３９】
以上のような後部フレーム１８の構成により、後部フレーム１８が設けられた部分は、後車体部２ｂの他の部分に比較して、左右の幅方向スペースがより広く、底部がより深く形成されている。また、補強プレート２３の両端部以外の部分は、後方に向かって窪む切欠き部２３ａとなっている。
【００４０】
［燃料タンク１３］
燃料タンク１３は、図３に示すように、後車体部２ｂの下面に固定されている。より詳細には、図５に示すように、燃料タンク１３の上部において、前端部の左右両端には左右のブラケット３０，３１が設けられるとともに、後端部中央に支持ブロック３２を介して後ブラケット３３が後方に突出して設けられている。そして、左右のブラケット３０，３１はボルトによって左右の横フレーム１６，１７の水平部に固定されている。また、後ブラケット３３は、ボルト３４によって補強プレート２３の下面中央部に固定されている。
【００４１】
燃料タンク１３は、箱状の容器であって、上面は後車体部２ｂの下面に沿って水平に形成され、底面は前方から後方にかけて斜め上方に傾斜して形成されている。また、後端面１３ａは上方から下方にかけて斜め後方に傾斜する傾斜面となっている。さらに、燃料タンク１３の上面には、エンジン１２のオイルパンを避けるために、前方に凹部１３ｂが設けられている。
【００４２】
［冷却装置１４］
冷却装置１４は、図４から明らかなように、門型フレーム３５に支持されている。門型フレーム３５は左右の下端部３５ａ，３５ｂが後部フレーム１８の左右のプレート２０，２１に固定されている。
【００４３】
この冷却装置１４は、図２、図６（図６では車体フレームを省いている）及び図７に示すように、ラジエータ４０と、ラジエータ４０の前面側に配置されたアフタークーラ４２と、アフタークーラ４２の前方に配置された空調機のコンデンサ４３と、アフタークーラ４２の下方に配置された及びオイルクーラ４４と、を有している。また、この冷却装置１４は、ラジエータ４０の後面側に配置されたファン４５と、ファン４５とラジエータ４０との間に配置されたシュラウド４６と、を有している。なお、冷却装置１４は、下端部がカウンタウェイト１５の上面よりも下方に位置するように配置されている。
さらに、冷却装置１４においては、トルクコンバータ用のクーラ５５が、ラジエータ４０の下部前方に配置されており、連結フレーム１９（図３参照）にボルトで取り付けられている。そして、トルクコンバータ用クーラ５５の下板と燃料タンク１３の上面との間には隙間が設けられている。
【００４４】
ファン４５は、図４に示すように、一方の側部が冷却装置１４の枠体１４ａにヒンジによって連結されており、横方向に開閉自在である。また、ファン４５は、その中心が冷却装置１４の中心より上方に位置するようにオフセットして配置されている。なお、ファン４５は底面がカウンタウェイト１５の上面よりも上方に位置するように配置されている。したがって、ファン４５はカウンタウェイト１５を避けて開閉することが可能である。
【００４５】
シュラウド４６は、左右の側部４６ａ，４６ｂと、底部４６ｃと、を有している。左右の側部４６ａ，４６ｂは、ラジエータ４０の下部で左右の側部を通過した冷却風をファン４５に導き、底部４６ｃはラジエータ４０の下部で中央部分を通過した冷却風をファン４５に導くものである。なお、底部４６ｃには、シュラウド４６内部に溜まった土砂や塵等を清掃するための清掃用カバー４７が着脱自在に設けられている。
【００４６】
［燃料タンク１３とラジエータ４０との関係］
前述のように、ラジエータ４０は、門型フレーム３５を介して後車体部２ｂの後部に支持されており、図６に示されるように、ラジエータ４０の下端部が燃料タンク１３の後方に位置するように配置されている。また、ラジエータ４０の下端部と燃料タンク１３の後端面１３ａとの間には所定の間隔が設けられている。さらに、ラジエータ４０の底面４０ａが燃料タンク１３の後端部上面よりも下方に位置するように配置されている。言い換えれば、ラジエータ４０は燃料タンク１３の後方において、燃料タンク１３の上面よりもさらに下方に延びて設けられている。
【００４７】
図６及び図７に示すように、ラジエータ４０には複数の配管４８が連結されている。この複数の配管４８のうちの下方に配置された配管４８は、燃料タンク１３の後端面１３ａとラジエータ４０との間に設けられたスペースに配置されている。なお、各配管４８はラジエータ４０のエンジン側にクランプ部材４９によってクランプされている。そして、後部構造の底面図である図８に示すように、このクランプ部は、燃料タンク１３とラジエータ４０との間の隙間であって、かつ補強プレート２３の切欠き部２３ａを通して下方に臨んでいる。このため、作業者は下方からクランプ部に対してアクセスが可能である。
【００４８】
［カバー５０］
図５及び図６に示すように、燃料タンク１３と補強プレート２３との連結部及び燃料タンク１３とラジエータ４０との間のスペースを下方から覆うためのカバー５０が設けられている。ここで、カバー５０は、カバー５０と燃料タンク１３との間に隙間が形成されるように取り付けられている。このため、この隙間を介して燃料タンク１３とラジエータ４０との間のスペースに冷却風を導き入れることが可能である。
また、リアアクスル５７側から、燃料タンク１３の凹部１３ｂ及び上面を通って冷却風がラジエータ４０の下部に導き入れられる。
【００４９】
なお、図８ではカバー５０を取り外して示している。このカバー５０は、左右両端部が補強プレート２３の左右両端部にボルトによって固定されている。
【００５０】
［カウンタウェイト１５］
図２，３及び８に示すように、カウンタウェイト１５はメインウェイト５３及び追加ウェイト５４を有している。メインウェイト５３は後部フレーム１８の後方及び左右に配置されており、追加ウェイト５４はメインウェイト５３の後端に配置されている。これらのウェイト５３，５４は、複数のボルトによって後部フレーム１８のエンドプレート２２に共締めされている。
【００５１】
また、メインウェイト５３の左右部分には、それぞれ下方に窪む収納部５３ａ（図３参照）が形成されており、この収納部５３ａにはバッテリ等の機器が収納されるようになっている。
【００５２】
さらに、メインウェイト５３の左右方向の中央部には、後方が閉じ前方に開いた凹部５３ｂが形成されている。この凹部５３ｂの左右方向の幅は、エンドプレート２２に形成された切欠き部２２ａとほぼ同じ幅であり、また凹部５３ｂの深さはエンドプレート２２の切欠き部２２ａの深さとほぼ同じである。すなわち、凹部５３ｂの底面とエンドプレート２２の切欠き部２２ａの上面とはほぼ同じ高さである。このような構成により、シュラウド４６の設置スペースが確保されている。また、シュラウド４６に設けられた清掃用カバー４７へのアクセスが容易になる。
【００５３】
［冷却について］
図示していないが、車体カバーには、上部及び左右の側部に冷却風の取り入れ口が形成されている。そして、ファン４５が回転すると、これらの取り入れ口から冷却風がエンジンルーム内に導入される。また、同時に、燃料タンク１３の後端面１３ａと冷却装置１４との間の隙間を介して、車両の下方からも冷却風がエンジンルーム内に導入される。
【００５４】
これらの冷却風は、冷却装置１４のアフタークーラ４２、空調機のコンデンサ４３、及びオイルクーラ４４を通過し、さらにラジエータ４０を通過して、ファン４５を介して後方に排出される。このとき、ラジエータ４０の下部を通過した冷却風は、シュラウド４６に沿って上方のファン４５まで導かれる。
【００５５】
［メンテナンス］
組立作業中やメンテナンス時に、燃料タンク１３とラジエータ４０との間に部材が落下する場合がある。このような場合は、カバー５０を取り外すことによって落下した部材を取り出すことができる。
【００５６】
また、ラジエータ４０の下部に連結された配管４８から冷却水の漏れが生じた場合は、カバー５０を取り外して作業が行われる。すなわち、カバー５０を取り外すことによって、作業者は、下方からクランプ部材４９を増し締めしたり、あるいは配管４８の交換をしたりすることができる。
【００５７】
さらに、ファン４５をメンテナンスする場合は、ファン４５を横方向に開いてメンテナンスが行われる。シュラウド４６の下部に土砂や埃等が溜まった場合は、清掃用カバー４７を取り外してこれらの土砂等を取り除けばよい。
【００５８】
［特徴］
（１）ラジエータ４０が燃料タンク１３の後方に配置され、燃料タンク１３の上面よりも下方に延びているので、ラジエータ４０を上方に延ばすことなくその容量を増大できる。したがって、後方視界を損なうことなく冷却容量が向上する。
【００５９】
（２）燃料タンク１３と冷却装置１４との間には隙間が形成されている。このため、この隙間を介して下方から冷却風が導入され、燃料タンク１３と重なった冷却装置１４の下端部にも冷却風を送ることができる。
【００６０】
（３）燃料タンク１３は、冷却装置１４と対向する後端面１３ａが、上方から下方に向かって斜め後方に傾斜している。したがって、外気を燃料タンク１３と冷却装置１４の下端部との間に導きやすい。
【００６１】
（４）燃料タンク１３の上方にラジエータ等を含む冷却装置１４が配置されていないので、燃料タンク１３上面に溜まった土砂や埃を清掃しやすい。
【００６２】
（５）燃料タンク１３の後端面１３ａと冷却装置１４との間にスペースが形成されている。このスペースを利用して、冷却装置１４に装着される配管を配置でき、配管の取り回しが容易になる。また、組立作業中やメンテナンス時に、燃料タンク１３と冷却装置１４との間に部材が落下しても、カバー５０を取り外すことによって部材を容易に取り出すことができる。
【００６３】
（６）補強プレート２２を設けることによって、強度を低下させることなく後部フレーム１８の左右方向の幅を広くすることができる。したがって、後部フレーム１８の内部に配置されるラジエータ４０の容量をさらに増大できる。
【００６４】
また、この補強プレート２２を利用して、燃料タンク１３の後端部を支持しているので、燃料タンク１３の支持が容易になる。
【００６５】
（７）冷却装置１４に配管をクランプするクランプ部が、燃料タンク１３と冷却装置１４との間から下方に臨んでいる。このため、配管作業する際に作業者が車両の下方から容易にクランプ部にアクセスでき、作業が容易になる。
【００６６】
（８）カウンタウェイト５３に凹部５３ａが形成され、さらにエンドプレート２２に切欠き部２２ａが形成されている。このため、シュラウド４６の設置スペースを確保できる。また、シュラウド４６に設けられた清掃用カバー４７へのアクセスが容易になる。
【００６７】
［他の実施形態］
本発明は以上のような実施形態に限定されるものではなく、本発明の範囲を逸脱することなく種々の変形又は修正が可能である。
【００６８】
前記実施形態では、ラジエータと燃料タンクとの関係において本発明を適用したが、ラジエータ以外の他の冷却装置と燃料タンクとの関係においても本発明を同様に適用することができる。
【符号の説明】
【００６９】
１  車体フレーム
３  作業機
１２  エンジン
１３  燃料タンク
１３ａ  後端面
１４  冷却装置
１５  カウンタウェイト
２２  エンドプレート
２３  補強プレート
３３  後ブラケット
４０  ラジエータ
４５  ファン
４６  シュラウド
４８  配管
５０  カバー
【図１】
2014008827.tif 000003
【図２】
2014008827.tif 000004
【図３】
2014008827.tif 000005
【図４】
2014008827.tif 000006
【図５】
2014008827.tif 000007
【図６】
2014008827.tif 000008
【図７】
2014008827.tif 000009
【図８】
2014008827.tif 000010